(57)【要約】【課題】指示代名詞や連体詞を含んだ音声により、番組情報を表示すること。【解決手段】表示番組情報取得手段１０２は、機器情報記憶手段１０３が記憶している機器情報を用いて、視聴している番組の番組情報を番組データベース１０１から取得する。マイクロホン１０５より音声が入力されると、音声認識手段１０６は認識辞書１０４を用い、指示文字列検出手段１０８が指示文字列記憶手段１０７に記憶されている指示列記憶情報により音声を認識し、表示情報取得手段１１０は、指示代名詞や連体詞を含む音声が認識されると、表示番組情報取得手段１０２から番組情報を読み出す。表示画面作成手段１１１は、表示情報取得手段１１０が読み出した番組情報を表示手段１１２に表示する。【選択図】  図１
2004260544.tif 000002
【特許請求の範囲】
【請求項１】
音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または前記番組の番組情報画面を表示する表示手段と、表示している番組の入力元や放送局、現在時刻等の機器の状態を記憶する機器情報記憶手段と、前記機器情報記憶手段に記憶されている機器の状態を用いて、前記表示手段で視聴または再生している番組の番組情報を前記番組データベースから取得し記憶する表示番組情報取得手段と、前記番組や前記番組の番組情報を表示画面情報に変換し前記表示手段に出力する表示画面作成手段と、前記指示文字列検出手段により指示代名詞または連体詞を含む文字列が検出されると、前記表示番組情報取得手段に記憶されている番組情報を読み出し前記表示画面作成手段に出力する表示情報取得手段とを備えたことを特徴とする音声認識機能を有する番組情報表示装置。
【請求項２】
音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または番組情報画面を表示する表示手段と、前記表示手段に表示されている番組情報を記憶する表示情報記憶手段と、前記指示文字列検出手段により指示代名詞または連体詞を含む文字列が検出されない場合、前記音声認識手段により得られた認識結果文字列から番組情報を示すキーワードを抽出する検索キーワード抽出手段と、前記検索キーワード抽出手段により抽出されたキーワードに対応する番組の全番組情報を前記番組データベースから取得し記憶する番組検索手段と、前記指示文字列検出手段により指示代名詞または連体詞を含む文字列が検出されない場合には、前記番組検索手段に記憶されている番組情報を読み出して前記表示情報記憶手段に記憶し、前記指示文字列検出手段により指示代名詞または連体詞を含む文字列が検出された場合には、前記表示情報記憶手段から番組情報を読み出す表示情報取得手段と、前記表示情報取得手段により読み出された番組情報を表示画面情報に変換し前記表示手段に出力する表示画面作成手段とを備えたことを特徴とする音声認識機能を有する番組情報表示装置。
【請求項３】
番組検索手段により取得された番組情報は、複数の番組の番組情報である請求項２記載の音声認識機能を有する番組情報表示装置。
【請求項４】
表示情報取得手段は、指示文字列検出手段により指示代名詞または連体詞を含む文字列が検出されると、表示情報記憶手段から複数番組の情報を読み込んだ場合には、番組検索結果を表示できない旨の警告画面情報または、警告音声を生成して、表示手段に表示させることを特徴とする請求項３記載の音声認識機能を有する番組情報表示装置。
【請求項５】
音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または番組情報画面を表示する表示手段と、前記指示文字列検出手段により指示代名詞または連体詞を含む文字列が検出されない場合、前記音声認識手段により得られた認識結果文字列から番組情報を示すキーワードを抽出する検索キーワード抽出手段と、前記検索キーワード抽出手段により抽出されたキーワードに対応する番組の全番組情報を前記番組データベースから取得し記憶する番組検索手段と、前記表示手段に表示されている番組情報を記憶する表示情報記憶手段と、番組情報が入力されると、入力された番組情報を表示画面情報に変換して記憶し、前記表示画面情報を前記表示手段に出力する表示画面作成手段と、前記表示手段に複数の番組情報が表示されている場合、話者が前記複数の番組情報から選択した番組情報の前記表示手段における表示位置を入力する入力手段と、前記表示画面作成手段に記憶されている表示画面情報を読み出し、前記入力手段から入力された位置情報に対応する番組情報を前記表示画面情報から特定し、特定した番組情報の番組に関する番組情報を前記表示情報記憶手段から取得し記憶する選択番組情報検出手段と、前記指示文字列検出手段により指示代名詞または連体詞を含む文字列が検出されない場合には、前記番組検索手段に記憶されている番組情報を読み出して前記表示情報記憶手段に記憶し、前記番組情報を前記表示画面作成手段に出力し、前記指示文字列検出手段により指示代名詞または連体詞を含む文字列が検出された場合には、前記選択番組情報検出手段から番組情報を読み出して前記表示記憶手段に記憶し、前記番組情報を前記表示画面作成手段に出力する表示情報取得手段とを備えたことを特徴とする音声認識機能を有する番組情報表示装置。
【発明の詳細な説明】
【０００１】
【発明の属する技術分野】
本発明は、テレビ受信機、テレビ受信機用リモコン送信機およびテレビ受信機システムに関し、具体的には、ユーザが音声により番組の検索を行うことができるシステムに関する。
【０００２】
【従来の技術】
従来の技術としては、音声認識によってテレビの操作を行うことが可能な音声理解システムが公開されている（例えば、特許文献１参照）。
【０００３】
【特許文献１】
特開２０００−２５０５７５号公報
【０００４】
【発明が解決しようとする課題】
しかしながら、従来の音声認識機能を有するテレビ受信機等は、ユーザがテレビ受信機等を制御するために発声したコマンド音声を音声認識し、認識結果である認識結果文字列に指示代名詞や連体詞が含まれる場合の処理を行っていなかった。このため、ユーザは、指示代名詞や連体詞を含んだコマンドを発声しテレビ受信機の操作や番組情報を検索、表示することができなかった。
【０００５】
本発明は、このような従来の問題点に鑑みてなされたものであって、その目的は、テレビ受信機に表示している番組や番組検索結果に含まれる番組の番組情報を予め取得しておき、指示代名詞や連体詞が音声認識された場合、予め取得しておいた番組情報を参照することにより、ユーザが指示代名詞や連体詞を含んだ自然な話し言葉で番組情報を検索し、表示できる音声認識機能を有する番組情報表示装置を提供することである。
【０００６】
【課題を解決するための手段】
本発明の請求項１の発明は、音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または前記番組の番組情報画面を表示する表示手段と、表示している番組の入力元や放送局、現在時刻等の機器の状態を記憶する機器情報記憶手段と、前記機器情報記憶手段に記憶されている機器の状態を用いて、前記表示手段で視聴または再生している番組の番組情報を前記番組データベースから取得し記憶する表示番組情報取得手段と、前記番組や前記番組の番組情報を表示画面情報に変換し前記表示手段に出力する表示画面作成手段と、前記指示文字列検出手段により指示代名詞または連体詞を含む文字列が検出されると、前記表示番組情報取得手段に記憶されている番組情報を読み出し前記表示画面作成手段に出力する表示情報取得手段とを備えたことを特徴とする音声認識機能を有する番組情報表示装置である。
【０００７】
本発明の請求項２の発明は、音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または番組情報画面を表示する表示手段と、前記表示手段に表示されている番組情報を記憶する表示情報記憶手段と、前記指示文字列検出手段により指示代名詞または連体詞を含む文字列が検出されない場合、前記音声認識手段により得られた認識結果文字列から番組情報を示すキーワードを抽出する検索キーワード抽出手段と、前記検索キーワード抽出手段により抽出されたキーワードに対応する番組の全番組情報を前記番組データベースから取得し記憶する番組検索手段と、前記指示文字列検出手段により指示代名詞または連体詞を含む文字列が検出されない場合には、前記番組検索手段に記憶されている番組情報を読み出して前記表示情報記憶手段に記憶し、前記指示文字列検出手段により指示代名詞または連体詞を含む文字列が検出された場合には、前記表示情報記憶手段から番組情報を読み出す表示情報取得手段と、前記表示情報取得手段により読み出された番組情報を表示画面情報に変換し前記表示手段に出力する表示画面作成手段とを備えたことを特徴とする音声認識機能を有する番組情報表示装置である。
【０００８】
本発明の請求項３の発明は、請求項２に記載の音声認識機能を有する番組情報表示装置において、番組検索手段により取得された番組情報は、複数の番組の番組情報であることを特徴とするものである。
【０００９】
本発明の請求項４の発明は、請求項３記載の音声認識機能を有する番組情報表示装置において、表示情報取得手段は、指示文字列検出手段により指示代名詞または連体詞を含む文字列が検出されると、表示情報記憶手段から複数番組の情報を読み込んだ場合には、番組検索結果を表示できない旨の警告画面情報または、警告音声を生成して、表示手段に表示させることを特徴とする。
【００１０】
本発明の請求項５の発明は、音声認識の対象語を格納する認識辞書と、話者が発話した音声を音声信号に変換するマイクロホンと、前記認識辞書を用いて前記音声信号を音声認識の対象語の文字列である認識結果文字列に変換する音声認識手段と、番組の番組名、番組内容、放送局名、放送日時等の番組情報を格納する番組データベースと、指示代名詞または連体詞を含む文字列を記憶する指示文字列記憶手段と、前記音声認識手段により得られた認識結果文字列から前記指示文字列記憶手段に記憶されている指示代名詞または連体詞を含む文字列を検出する指示文字列検出手段と、番組または番組情報画面を表示する表示手段と、前記指示文字列検出手段により指示代名詞または連体詞を含む文字列が検出されない場合、前記音声認識手段により得られた認識結果文字列から番組情報を示すキーワードを抽出する検索キーワード抽出手段と、前記検索キーワード抽出手段により抽出されたキーワードに対応する番組の全番組情報を前記番組データベースから取得し記憶する番組検索手段と、前記表示手段に表示されている番組情報を記憶する表示情報記憶手段と、番組情報が入力されると、入力された番組情報を表示画面情報に変換して記憶し、前記表示画面情報を前記表示手段に出力する表示画面作成手段と、前記表示手段に複数の番組情報が表示されている場合、話者が前記複数の番組情報から選択した番組情報の前記表示手段における表示位置を入力する入力手段と、前記表示画面作成手段に記憶されている表示画面情報を読み出し、前記入力手段から入力された位置情報に対応する番組情報を前記表示画面情報から特定し、特定した番組情報の番組に関する番組情報を前記表示情報記憶手段から取得し記憶する選択番組情報検出手段と、前記指示文字列検出手段により指示代名詞または連体詞を含む文字列が検出されない場合には、前記番組検索手段に記憶されている番組情報を読み出して前記表示情報記憶手段に記憶し、前記番組情報を前記表示画面作成手段に出力し、前記指示文字列検出手段により指示代名詞または連体詞を含む文字列が検出された場合には、前記選択番組情報検出手段から番組情報を読み出して前記表示記憶手段に記憶し、前記番組情報を前記表示画面作成手段に出力する表示情報取得手段とを備えたことを特徴とする音声認識機能を有する番組情報表示装置である。
【００１１】
上記の手段では、表示手段に表示されている番組の番組情報を表示番組情報取得手段により予め取得しておき、話者が発話したコマンド音声を音声認識手段により音声認識し、音声認識結果に指示代名詞や連体詞を含んだ文字列が指示文字列検出手段により検出され、表示手段に番組検索画面が表示されていない場合、予め取得しておいた番組情報を表示することにより、話者は指示代名詞や連体詞を含んだコマンドを発話し、表示手段に表示されている番組の番組情報を表示することができる。
【００１２】
また、番組検索手段により一番組に関する番組情報が検索された場合、表示情報取得手段により検索された番組情報を表示情報記憶手段に記憶しておき、検索された番組情報が表示手段に表示されている場合、次に、話者が発話したコマンド音声を音声認識手段により音声認識し、音声認識結果に指示代名詞や連体詞を含んだ文字列が指示文字列検出手段により検出された場合、予め表示情報記憶手段に記憶しておいた番組情報を表示することにより、話者は指示代名詞や連体詞を含んだコマンドを発話し、表示されている番組情報と異なる他の番組情報を表示することができる。
【００１３】
また、表示手段に複数番組の番組情報が表示され、表示されている複数番組の番組情報を表示情報記憶手段に記憶しておき、次に、話者が発話したコマンド音声を音声認識手段により音声認識し、音声認識結果に指示代名詞や連体詞を含んだ文字列が指示文字列検出手段により検出された場合、予め表示情報記憶手段に記憶しておいた複数番組の番組情報を読み込み、複数番組の番組情報が表示手段に表示されていることを表示情報取得手段が検知することにより、指示代名詞や連体詞が指し示す番組を特定できないため番組情報を表示することができない旨を表す表示画面や応答音声を話者に示すことができる。
【００１４】
また、表示手段に複数番組の番組情報が表示され、表示されている複数番組の番組情報を表示情報記憶手段に記憶しておき、話者が表示手段に表示されている複数の番組から番組を選択するために入力手段から入力した位置情報と表示手段に表示している表示画面情報とから話者が選択した番組を特定し、特定した番組の番組情報を選択番組情報検出手段により表示情報記憶手段から取得し、取得した番組情報を表示することにより、話者は表示されている複数番組から一番組を選択し、指示代名詞や連体詞を含んだコマンドを発話して、選択した番組の番組情報を表示することができる。
【００１５】
【発明の実施の形態】
（実施の形態１）
以下、本発明の実施の形態１による音声認識機能を有する番組情報表示装置について、図面を参照しながら説明する。
【００１６】
図１は本発明の実施の形態１における音声認識機能を有する番組情報表示装置の構成図である。本実施の形態の番組情報表示装置は、番組データベース１０１、表示番組情報取得手段１０２、機器情報記憶手段１０３、認識辞書１０４、マイクロホン１０５、音声認識手段１０６、指示文字列記憶手段１０７、指示文字列検出手段１０８、表示情報記憶手段１０９、表示情報取得手段１１０、表示画面作成手段１１１、表示手段１１２、検索キーワード抽出手段１１３、番組検索手段１１４で構成される。
【００１７】
番組データベース１０１は、録画されている番組や放送中の番組、放送予定の番組の番組名、番組内容、放送局、放送日時等、番組に関する番組情報を番組毎に番組情報名と対応付けて格納するものである。機器情報記憶手段１０３は、テレビに表示している番組の入力元や放送局、現在時刻等のテレビの状態を記憶するものである。表示番組情報取得手段１０２は、機器情報記憶手段１０３から入力元と放送局、現在時刻を取得し、取得した入力元と放送局と現在時刻を用いて、番組データベース１０１から現在テレビに表示している番組の番組情報と番組情報名を取得するものである。認識辞書１０４は、音声認識の対象語の文字列である認識対象文字列と認識対象文字列の意味を表す意味文字列とを対応付けて記憶し、認識対象文字列が番組情報の場合は、意味文字列として番組情報名を対応付けて記憶するものである。マイクロホン１０５は、話者によって発話された音声を入力し、音声信号を出力するものである。音声認識手段１０６は、マイクロホン１０５から入力される音声信号を、認識辞書１０４を用いて認識結果文字列を認識結果文字列に対応した意味文字列に変換し、認識結果文字列と意味文字列とを認識結果として出力するものである。
【００１８】
指示文字列記憶手段１０７は、指示代名詞または連体詞を含む文字列を指示文字列として記憶するものである。指示文字列検出手段１０８は、音声認識手段１０６から認識結果が入力されると、認識結果の認識結果文字列から指示文字列記憶手段１０７に記憶されている指示文字列を検出し、指示文字列が検出された場合は入力された認識結果と検出された指示文字列とを表示情報取得手段１１０に出力し、指示文字列が検出されなかった場合は認識結果を表示情報取得手段１１０と検索キーワード抽出手段１１３に、出力するものである。
【００１９】
表示情報記憶手段１０９は、表示手段１１２に表示されている検索結果画面の番組の番組情報を番組情報名と対応付けて記憶するものである。表示情報取得手段１１０は、指示文字列検出手段１０８から認識結果と指示文字列が入力され、表示情報記憶手段１０９に番組情報が記憶されていない場合、表示番組情報取得手段１０２から入力される番組情報と番組情報名とを対応付けて表示情報記憶手段１０９に記憶し、表示番組情報取得手段１０２から入力された番組情報と番組情報名と指示文字列検出手段１０８から入力された認識結果を表示画面作成手段１１１に出力する。また、指示文字列検出手段１０８から認識結果と指示文字列が入力され、表示情報記憶手段１０９に番組情報が記憶されている場合、表示情報記憶手段１０９から番組情報名と番組情報とを読み込み、読み込んだ番組情報と番組情報名と指示文字列検出手段１０８から入力された認識結果を表示画面作成手段１１１に出力する。また、指示文字列検出手段１０８から認識結果のみ入力される場合、番組検索手段１１４から入力される番組情報と番組情報名とを対応付けて表示情報記憶手段１０９に記憶し、番組検索手段１１４から入力された番組情報と番組情報名と指示文字列検出手段１０８から入力された認識結果を表示画面作成手段１１１に出力するものである。
【００２０】
表示手段１１２は、ＣＲＴディスプレイ、液晶ディスプレイ（ＬＣＤ）、プラズマディスプレイパネル（ＰＤＰ）等で構成され、入力される情報を表示するものである。表示画面作成手段１１１は、表示情報取得手段１１０から番組情報と番組情報名と認識結果が入力されると入力された番組情報を入力された認識結果に応じて表示画面情報に変換し、表示手段１１２に表示するものである。検索キーワード抽出手段１１３は、指示文字列検出手段１０８から認識結果が入力されると、入力された認識結果から番組情報名と番組情報を抽出するものである。番組検索手段１１４は、検索キーワード抽出手段１１３から番組情報名と番組情報が入力されると、入力された番組情報に合った番組を番組データベース１０１から検索し、検索された番組の番組情報と番組情報名を表示情報取得手段１１０に出力するものである。
【００２１】
このように構成された本実施の形態による音声認識機能を有する番組情報表示装置の動作例について説明する。図１において、番組データベース１０１は、録画されている番組や放送中の番組、放送予定の番組の番組名、番組内容、放送局、放送日時等、番組に関する番組情報を番組毎に番組情報名と対応付けて格納する。
【００２２】
番組データベース１０１の内容を（表１）に示す。
【００２３】
【表１】
2004260544.tif 000003
【００２４】
表示番組情報取得手段１０２は、機器情報記憶手段１０３から入力元や放送局、現在時刻を取得し、取得した入力元と放送局と現在時刻を用いて、番組データベース１０１から現在テレビに表示している番組の番組情報と番組情報名を取得し、表示情報取得手段１１０に出力する。上記の例では、２００２年１月１日午前１０時３０分に放送局１００００において放送中の番組名「スペシャル」という番組を話者が視聴しているとする。この場合、機器情報記憶手段１０３には、テレビに表示している番組の入力元と放送局、現在時刻として（ＴＶ、１００００、２００２．１．１／ＡＭ１０：３０）が格納されている。ここで機器情報記憶手段１０３の内容を（表２）に示す。
【００２５】
【表２】
2004260544.tif 000004
【００２６】
表示番組情報取得手段１０２は、（表２）の機器情報記憶手段１０３から入力元、放送局、現在時刻を取得し、取得した（ＴＶ、１００００、２００２．１．１／ＡＭ１０：３０）を用いて、（表１）の番組データベース１０１から放送局１００００で２００２年１月１日午前１０時３０分に放送している番組の番組情報名（放送日時、放送局、番組名、番組内容）と番組情報名に対応した番組情報（２００２．１．１／ＡＭ１０：００〜ＡＭ１１：００，１００００，スペシャル，××××××）を取得し、表示情報取得手段１１０に出力する。認識辞書１０４は、音声認識の対象語の文字列である認識対象文字列と認識対象文字列の意味を表す意味文字列とを対応付けて記憶し、認識対象文字列が番組情報の場合は、意味文字列として番組情報名を対応付けて記憶する。上記の例では、認識辞書１０４は、認識対象文字列と意味文字列とを一組とし、（この，指示語），（これの，指示語），（この時間の，指示語），（松下ニュース，番組名），（スペシャル，番組名），（松下スポーツ，番組名），（内容は？，内容表示命令），（何時から？，内容表示命令），・・，（見たい，選局命令）を記憶する。（表３）に認識辞書１０４の内容を示す。
【００２７】
【表３】
2004260544.tif 000005
【００２８】
マイクロホン１０５は、話者によって発話された音声を入力し、音声信号を出力する。上記の例では、話者が、「これの内容は？」と発声し、マイクロホン１０５から音声信号「これの内容は？」が入力されたとする。音声認識手段１０６は、マイクロホン１０５から音声信号が入力されると、入力された音声信号を、認識辞書１０４を用いて認識結果文字列と認識結果文字列に対応した意味文字列とに変換し、認識結果文字列と意味文字列とを認識結果として指示文字列検出手段１０８に出力する。上記の例では、音声認識手段１０６は、マイクロホン１０５から音声信号「これの内容は？」が入力されると、音声信号「これの内容は？」を（表３）の認識辞書１０４を用いて認識結果文字列「これの／内容は？」と意味文字列「指示語／内容表示命令」に変換し、認識結果文字列「これの／内容は？」と意味文字列「指示語／内容表示命令」を認識結果として指示文字列検出手段１０８に出力する。指示文字列記憶手段１０７は、指示代名詞または連体詞を含む文字列を指示文字列として記憶する。上記の例では、指示文字列記憶手段１０７の一例を（表４）に示す。
【００２９】
【表４】
2004260544.tif 000006
【００３０】
（表４）に示すように、指示文字列として、（この、これの、・・、この時間の）が記憶されている。指示文字列検出手段１０８は、音声認識手段１０６から認識結果が入力されると、認識結果の認識結果文字列から指示文字列記憶手段１０７に記憶されている指示文字列を検出し、指示文字列が検出された場合は入力された認識結果と検出された指示文字列とを表示情報取得手段１１０に出力する。上記の例では、音声認識手段１０６から認識結果である認識結果文字列「これの／内容は？」と意味文字列「指示語／内容表示命令」が入力されると、認識結果文字列「これの／内容は？」から（表４）の指示文字列記憶手段１０７に記憶されている指示文字列「これの」を検出し、音声認識手段１０６から入力された認識結果と検出された指示文字列「これの」を表示情報取得手段１１０に出力する。表示情報記憶手段１０９は、表示手段１１２に表示されている検索結果画面の番組の番組情報を番組情報名に対応付けて記憶する。上記の例では、表示手段１１２に検索結果画面が表示されていないため、表示情報記憶手段１０９には番組情報を記憶していないとする。表示情報取得手段１１０は、指示文字列検出手段１０８から認識結果と指示文字列が入力され、表示情報記憶手段１０９に番組情報が記憶されていない場合、表示番組情報取得手段１０２から入力された番組情報と番組情報名とを対応付けて表示情報記憶手段１０９に記憶し、さらに、表示番組情報取得手段１０２から入力された番組情報と番組情報名と指示文字列検出手段１０８から入力された認識結果を表示画面作成手段１１１に出力する。上記の例では、表示情報取得手段１１０は、指示文字列検出手段１０８から認識結果である認識結果文字列「これの／内容は？」と意味文字列「指示語／内容表示命令」と指示文字列「これの」が入力されると、表示番組情報取得手段１０２から入力された番組情報（２００２．１．１／ＡＭ１０：００〜ＡＭ１１：００，１００００，スペシャル，××××××）と番組情報名（放送日時、放送局、番組名、番組内容）とを対応付けて表示情報記憶手段１０９に記憶し、さらに、入力された番組情報（２００２．１．１／ＡＭ１０：００〜ＡＭ１１：００，１００００，スペシャル，××××××）と番組情報名（放送日時、放送局、番組名、番組内容）と指示文字列検出手段１０８から入力された認識結果である認識結果文字列「これの／内容は？」と意味文字列「指示語／内容表示命令」とを表示画面作成手段１１１に出力する。ここで、表示情報取得手段１１０により更新された表示情報記憶手段１０９の内容を（表５）に示す。
【００３１】
【表５】
2004260544.tif 000007
【００３２】
表示手段１１２は、入力される情報を表示する。表示画面作成手段１１１は、表示情報取得手段１１０から番組情報と番組情報名と認識結果が入力されると、入力された番組情報を入力された認識結果に応じて表示画面情報に変換し、表示手段１１２に番組情報を表示する。上記の例では、表示画面作成手段１１１は、表示情報取得手段１１０から番組情報（２００２．１．１／ＡＭ１０：００〜ＡＭ１１：００，１００００，スペシャル，××××××）と番組情報名（放送日時、放送局、番組名、番組内容）と認識結果である認識結果文字列「これの／内容は？」と意味文字列「指示語／内容表示命令」が入力されると、意味文字列「指示語／内容表示命令」に内容表示命令が含まれるため、入力された番組情報（２００２．１．１／ＡＭ１０：００〜ＡＭ１１：００，１００００，スペシャル，××××××）から番組内容を表示する画面を作成し、表示手段１１２に表示する。図２に、番組内容が表示された表示手段１１２の一例を示す。
【００３３】
さらに、上記の例において、話者が「スペシャルは何時から？」と発話したとし、マイクロホン１０５から音声信号「スペシャルは何時から？」が入力され、この音声信号「スペシャルは何時から？」が音声認識手段１０６に出力されたとする。音声認識手段１０６は、マイクロホン１０５から入力された音声信号「スペシャルは何時から？」を（表３）の認識辞書１０４を用いて認識結果文字列「スペシャル／何時から？」と意味文字列「番組名／時間表示命令」を認識結果として指示文字列検出手段１０８に出力する。指示文字列検出手段１０８は、音声認識手段１０６から認識結果が入力されると、認識結果の認識結果文字列から指示文字列記憶手段１０７に記憶されている指示文字列を検出し、指示文字列が検出されなかった場合は、認識結果を表示情報取得手段１１０と検索キーワード抽出手段１１３に出力する。上記の例では、指示文字列検出手段１０８は、音声認識手段１０６から入力された認識結果文字列「スペシャル／何時から？」から（表４）の指示文字列記憶手段１０７に記憶されている指示文字列は検出されないので、音声認識手段１０６から入力された認識結果のみを表示情報取得手段１１０と検索キーワード抽出手段１１３に出力する。
【００３４】
検索キーワード抽出手段１１３は、指示文字列検出手段１０８から認識結果が入力されると、入力された認識結果から番組情報名と番組情報を抽出し、抽出した番組情報名と番組情報を番組検索手段１１４に出力する。上記の例では、検索キーワード抽出手段１１３は、指示文字列検出手段１０８から認識結果である認識結果文字列「スペシャル／何時から？」と意味文字列「番組名／時間表示命令」が入力されると、入力された意味文字列を参照して番組情報名「番組名」と番組情報名「番組名」に対応した番組情報「スペシャル」を抽出し、番組情報名「番組名」と番組情報「スペシャル」を番組検索手段１１４に出力する。番組検索手段１１４は、検索キーワード抽出手段１１３から番組情報名と番組情報が入力されると、入力された番組情報に合った番組を番組データベース１０１から検索し、検索された番組の番組情報と番組情報名を表示情報取得手段１１０に出力する。上記の例では、番組検索手段１１４は、検索キーワード抽出手段１１３から番組情報名「番組名」と番組情報「スペシャル」が入力されると、番組名「スペシャル」を検索条件として（表１）の番組データベース１０１を検索し、その結果、番組情報名（放送日時、放送局、番組名、番組内容）と番組情報（２００２．１．１／ＡＭ１０：００〜ＡＭ１１：００，１００００，スペシャル，××××××）とを取得し、表示情報取得手段１１０に出力する。
【００３５】
表示情報取得手段１１０は、指示文字列検出手段１０８から認識結果のみ入力される場合、番組検索手段１１４から入力される番組情報と番組情報名とを対応付けて表示情報記憶手段１０９に記憶し、番組検索手段１１４から入力された番組情報と番組情報名と指示文字列検出手段１０８から入力された認識結果を表示画面作成手段１１１に出力する。上記の例では、表示情報取得手段１１０は、指示文字列検出手段１０８から認識結果である認識結果文字列「スペシャル／何時から？」と意味文字列「番組名／時間表示命令」のみ入力されると、番組検索手段１１４から入力される番組情報名（放送日時、放送局、番組名、番組内容）と番組情報（２００２．１．１／ＡＭ１０：００〜ＡＭ１１：００，１００００，スペシャル，××××××）とを対応付けて表示情報記憶手段１０９に記憶し、番組検索手段１１４から入力された番組情報名（放送日時、放送局、番組名、番組内容）と番組情報（２００２．１．１／ＡＭ１０：００〜ＡＭ１１：００，１００００，スペシャル，××××××）と指示文字列検出手段１０８から入力された認識結果文字列「スペシャル／何時から？」と意味文字列「番組名／時間表示命令」とを表示画面作成手段１１１に出力する。（表５）に、表示情報取得手段１１０により更新された表示情報記憶手段１０９の内容を示す。
【００３６】
さらに上記の例では、表示画面作成手段１１１は、表示情報取得手段１１０から番組情報（２００２．１．１／ＡＭ１０：００〜ＡＭ１１：００，１００００，スペシャル，××××××）と番組情報名（放送日時、放送局、番組名、番組内容）と認識結果である認識結果文字列「スペシャル／何時から？」と意味文字列「番組名／時間表示命令」が入力されると、意味文字列「番組名／時間表示命令」に時間表示命令が含まれるため、入力された番組情報（２００２．１．１／ＡＭ１０：００〜ＡＭ１１：００，１００００，スペシャル，××××××）から時間情報を表示する画面を作成し、表示手段１１２に表示する。図３に、時間情報が表示された表示手段１１２の一例を示す。
【００３７】
さらに、上記の例において、話者が「これの内容は？」と発話したとし、マイクロホン１０５から音声信号「これの内容は？」が入力され、この音声信号「これの内容は？」が音声認識手段１０６に出力されたとする。音声認識手段１０６は、マイクロホン１０５から入力された音声信号「これの内容は？」を（表３）の認識辞書１０４を用いて認識結果文字列「これの／内容は？」と意味文字列「指示語／内容表示命令」とを認識結果として指示文字列検出手段１０８に出力する。指示文字列検出手段１０８は、音声認識手段１０６から入力された認識結果文字列「これの／内容は？」から（表４）の指示文字列記憶手段１０７に記憶されている指示文字列「これの」を検出し、入力された認識結果である認識結果文字列「これの／内容は？」と意味文字列「指示語／内容表示命令」と検出された指示文字列「これの」を表示情報取得手段１１０に出力する。
【００３８】
表示情報取得手段１１０は、指示文字列検出手段１０８から認識結果と指示文字列が入力され、表示情報記憶手段１０９に番組情報が記憶されている場合、表示情報記憶手段１０９から番組情報名と番組情報とを読み込み、読み込んだ番組情報と番組情報名と指示文字列検出手段１０８から入力された認識結果を表示画面作成手段１１１に出力する。上記の例では、表示情報取得手段１１０は、指示文字列検出手段１０８から認識結果である認識結果文字列「これの／内容は？」と意味文字列「指示語／内容表示命令」と指示文字列「これの」が入力され、（表５）の表示情報記憶手段１０９に番組情報が記憶されているので、表示情報記憶手段１０９から番組情報名（放送日時、放送局、番組名、番組内容）と番組情報（２００２．１．１／ＡＭ１０：００〜ＡＭ１１：００，１００００，スペシャル，××××××）とを読み込み、読み込んだ番組情報名（放送日時、放送局、番組名、番組内容）と番組情報（２００２．１．１／ＡＭ１０：００〜ＡＭ１１：００，１００００，スペシャル，××××××）と指示文字列検出手段１０８から入力された認識結果文字列「これの／内容は？」と意味文字列「指示語／内容表示命令」とを表示画面作成手段１１１に出力する。
【００３９】
さらに上記の例では、表示画面作成手段１１１は、表示情報取得手段１１０から番組情報（２００２．１．１／ＡＭ１０：００〜ＡＭ１１：００，１００００，スペシャル，××××××）と番組情報名（放送日時、放送局、番組名、番組内容）と認識結果である認識結果文字列「これの／内容は？」と意味文字列「指示語／内容表示命令」が入力されると、意味文字列「指示語／内容表示命令」に内容表示命令が含まれるため、入力された番組情報（２００２．１．１／ＡＭ１０：００〜ＡＭ１１：００，１００００，スペシャル，××××××）から番組内容を表示する画面を作成し、表示手段１１２に表示する。ここで、番組内容が表示された表示手段１１２の一例を図２に示す。
【００４０】
なお、表示手段１１２に番組検索結果として複数の番組の番組情報が表示されており、表示されている複数番組の番組情報が表示情報記憶手段１０９に記憶されているとした場合、表示情報取得手段１１０は、指示文字列検出手段１０８から認識結果と指示文字列が入力され、表示情報記憶手段１０９から複数番組の番組情報を読み込んだ場合、番組検索結果を表示手段１１２に表示できない旨の警告画面を表示手段１１２に表示したり、また、番組検索結果を表示手段１１２に表示できない旨の警告音声を生成してスピーカから再生するようにしてもよい。
【００４１】
本実施の形態によれば、テレビに表示している番組や番組検索結果の番組の番組情報をあらかじめ取得しておき、入力されたコマンド音声を音声認識した結果、認識結果に指示代名詞や連体詞が検出された場合、あらかじめ取得しておいた番組情報を用いて番組検索結果画面を作成し、表示することで、話者が指示代名詞や連体詞を含んだコマンドを発話し、テレビ受信機の操作や番組情報を検索、表示することができる。
【００４２】
（実施の形態２）
本発明の実施の形態２における音声認識機能を有する番組情報表示装置について、図面を参照しながら説明する。前述した実施の形態１では、話者が指示代名詞や連体詞を含んだコマンドを発話し、表示されている番組や検索結果の番組の番組情報を検索、表示する装置として述べた。しかし、本実施の形態の音声認識機能を有する番組情報表示装置では、表示手段に複数番組の番組情報が表示されている場合に、話者が複数の番組から一番組を選択し、この選択された番組の表示されている番組情報と異なる番組情報を指示代名詞や連体詞を含むコマンドを話者が発話することにより、表示させることを特徴とする。
【００４３】
図４は実施の形態２による音声認識機能を有する番組情報表示装置の構成を示す図である。ここで、実施の形態１と同一符号のブロックは同じ動作を行うものとし、それらの詳細な説明は省略する。本実施の形態の音声認識機能を有する番組情報表示装置は、番組データベース１０１、認識辞書１０４、マイクロホン１０５、音声認識手段１０６、指示文字列記憶手段１０７、指示文字列検出手段１０８、表示情報記憶手段１０９、表示画面作成手段１１１、表示手段１１２、検索キーワード抽出手段１１３、番組検索手段１１４、入力手段２０１、選択番組情報検出手段２０２、表示情報取得手段２０３を含んで構成される。
【００４４】
入力手段２０１は、マウスやタッチパネル、キーボード、リモートコントローラ等で構成され、話者が表示手段１１２に複数番組の番組情報が表示されている場合に、複数の番組から一つの番組を選択するために、表示手段１１２の画面において選択する番組が表示されている位置情報を入力するものである。選択番組情報検出手段２０２は、入力手段２０１から位置情報が入力され、表示画面作成手段１１１から表示画面情報が入力されると、入力された位置情報に対応する番組情報を表示画面情報から抽出し、抽出した番組情報に対応した番組の番組情報と番組情報名とを表示情報記憶手段１０９から検出し、検出した番組情報と番組情報名とを表示情報取得手段２０３に出力するものである。表示情報取得手段２０３は、指示文字列検出手段１０８から認識結果と指示文字列が入力され、表示情報記憶手段１０９に複数番組の番組情報が記憶されている場合、選択番組情報検出手段２０２から入力される番組情報と番組情報名とを対応付けて表示情報記憶手段１０９に記憶し、さらに選択番組情報検出手段２０２から入力された番組情報と番組情報名と指示文字列検出手段１０８から入力された認識結果を表示画面作成手段１１１に出力する。また、指示文字列検出手段１０８から認識結果と指示文字列が入力され、表示情報記憶手段１０９に一番組の番組情報が記憶されている場合、表示情報記憶手段１０９に記憶されている番組情報名と番組情報を読み出し、表示情報記憶手段１０９から読み出した番組情報名と番組情報と指示文字列検出手段１０８から入力された認識結果を表示画面作成手段１１１に出力する。また、指示文字列検出手段１０８から認識結果のみ入力される場合、番組検索手段１１４から入力される番組情報と番組情報名とを対応付けて表示情報記憶手段１０９に記憶し、番組検索手段１１４から入力された番組情報と番組情報名と指示文字列検出手段１０８から入力された認識結果を表示画面作成手段１１１に出力するものである。
【００４５】
このように構成された本実施の形態による音声認識機能を有する番組情報表示装置の動作例について説明する。図４において、番組データベース１０１は、録画されている番組や放送中の番組、放送予定の番組の番組名、番組内容、放送局、放送日時等、番組に関する番組情報を番組毎に番組情報名と対応付けて格納する。番組データベース１０１の具体的な一例を（表６）に示す。
【００４６】
【表６】
2004260544.tif 000008
【００４７】
認識辞書１０４は、音声認識の対象語の文字列である認識対象文字列と認識対象文字列の意味を表す意味文字列とを対応付けて記憶し、認識対象文字列が番組情報の場合は、意味文字列として番組情報名を対応付けて記憶する。上記の例では、認識辞書１０４は、認識対象文字列と意味文字列とを一組とし、（この，指示語），（これの，指示語），（この時間の，指示語），（松下ニュース，番組名），（スペシャル，番組名），（１０時，放送日時），（内容は？，内容表示命令），（番組は？，番組一覧表示命令），・・，（見たい。，選局命令）を記憶する。認識辞書１０４の内容を（表７）に示す。
【００４８】
【表７】
2004260544.tif 000009
【００４９】
マイクロホン１０５は、話者によって発話された音声を入力し、音声信号を出力する。上記の例では、２００２年１月１日に話者が、「１０時の番組は？」と発話し、マイクロホン１０５から音声信号「１０時の番組は？」が入力されたとする。音声認識手段１０６は、マイクロホン１０５から音声信号が入力されると、入力された音声信号を、認識辞書１０４を用いて認識結果文字列と認識結果文字列に対応した意味文字列とに変換し、認識結果文字列と意味文字列とを認識結果として指示文字列検出手段１０８に出力する。上記の例では、音声認識手段１０６は、マイクロホン１０５から音声信号「１０時の番組は？」が入力されると、音声信号「１０時の番組は？」を（表７）の認識辞書１０４を用いて認識結果文字列「１０時／番組は？」と意味文字列「放送日時／番組一覧表示命令」に変換し、認識結果文字列「１０時／番組は？」と意味文字列「放送日時／番組一覧表示命令」を認識結果として指示文字列検出手段１０８に出力する。指示文字列記憶手段１０７は、指示代名詞または連体詞を含む文字列を指示文字列として記憶する。上記の例では、指示文字列記憶手段１０７の一例を（表４）に示す。（表４）に示すように、指示文字列として、（この、これの、・・、この時間の）が記憶されている。
【００５０】
指示文字列検出手段１０８は、音声認識手段１０６から認識結果が入力されると、認識結果の認識結果文字列から指示文字列記憶手段１０７に記憶されている指示文字列を検出し、指示文字列が検出されなかった場合は、認識結果を表示情報取得手段２０３と検索キーワード抽出手段１１３に出力する。上記の例では、指示文字列検出手段１０８は、音声認識手段１０６から入力された認識結果文字列「１０時／番組は？」から（表４）の指示文字列記憶手段１０７に記憶されている指示文字列は検出されないので、音声認識手段１０６から入力された認識結果のみを表示情報取得手段２０３と検索キーワード抽出手段１１３に出力する。検索キーワード抽出手段１１３は、指示文字列検出手段１０８から認識結果が入力されると、入力された認識結果から番組情報名と番組情報とを抽出し、抽出した番組情報名と番組情報を番組検索手段１１４に出力する。上記の例では、検索キーワード抽出手段１１３は、指示文字列検出手段１０８から認識結果である認識結果文字列「１０時／番組は？」と意味文字列「放送日時／番組一覧表示命令」が入力されると、入力された意味文字列を参照して番組情報名「放送日時」と番組情報名「放送日時」に対応した番組情報「１０時」を抽出し、番組情報名「放送日時」と番組情報「１０時」を番組検索手段１１４に出力する。
【００５１】
番組検索手段１１４は、検索キーワード抽出手段１１３から番組情報名と番組情報が入力されると、入力された番組情報に合った番組を番組データベース１０１から検索し、検索された番組の番組情報と番組情報名を表示情報取得手段２０３に出力する。上記の例では、番組検索手段１１４は、検索キーワード抽出手段１１３から番組情報名「放送日時」と番組情報「１０時」が入力されると、番組情報「１０時」を検索条件として（表６）の番組データベース１０１を検索し、その結果、番組情報名（放送日時、放送局、番組名、番組内容）と番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）とを取得し、表示情報取得手段２０３に出力する。表示情報取得手段２０３は、指示文字列検出手段１０８から認識結果のみ入力される場合、番組検索手段１１４から入力される番組情報と番組情報名とを対応付けて表示情報記憶手段１０９に記憶し、番組検索手段１１４から入力された番組情報と番組情報名と指示文字列検出手段１０８から入力された認識結果を表示画面作成手段１１１に出力する。上記の例では、表示情報取得手段２０３は、指示文字列検出手段１０８から認識結果である認識結果文字列「１０時／番組は？」と意味文字列「放送日時／番組一覧表示命令」のみ入力されると、番組検索手段１１４から入力される番組情報名（放送日時、放送局、番組名、番組内容）と番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）とを対応付けて表示情報記憶手段１０９に記憶し、番組検索手段１１４から入力された番組情報名（放送日時、放送局、番組名、番組内容）と番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）と指示文字列検出手段１０８から入力された認識結果文字列「１０時／番組は？」と意味文字列「放送日時／番組一覧表示命令」とを表示画面作成手段１１１に出力する。（表８）に、表示情報取得手段２０３により更新された表示情報記憶手段１０９の内容を示す。
【００５２】
【表８】
2004260544.tif 000010
【００５３】
表示手段１１２は、入力される情報を表示する。表示画面作成手段１１１は、表示情報取得手段２０３から番組情報と番組情報名と認識結果が入力されると、入力された番組情報を入力された認識結果に応じて表示画面情報に変換し、表示画面情報を選択番組情報検出手段２０２と表示手段１１２に出力する。上記の例では、表示画面作成手段１１１は、表示情報取得手段２０３から番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）と番組情報名（放送日時、放送局、番組名、番組内容）と認識結果である認識結果文字列「１０時／番組は？」と意味文字列「放送日時／番組一覧表示命令」が入力されると、意味文字列「放送日時／番組一覧表示命令」に番組一覧表示命令が含まれるため、入力された番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）から番組を一覧表示する表示画面情報を作成し、作成した表示画面情報を選択番組情報検出手段２０２と表示手段１１２に出力する。ここで、番組一覧が表示された表示手段１１２の一例を図５に示す。
【００５４】
入力手段２０１は、話者が表示手段１１２に表示されている複数の番組から１つの番組を選択するために、表示手段１１２の画面において選択する番組が表示されている位置情報が入力される。上記の例では、図５の表示手段１１２に表示されている番組から、番組名「松下ニュース」を選択するために、番組名「松下ニュース」をマウスでクリックしたとすると、表示手段１１２の画面においてマウスでクリックされた位置情報が選択番組情報検出手段２０２に出力される。選択番組情報検出手段２０２は、入力手段２０１から位置情報が入力され、表示画面作成手段１１１から表示画面情報が入力されると、入力された位置情報に対応する番組情報を表示画面情報から抽出し、抽出した番組情報に対応した番組の番組情報と番組情報名とを表示情報記憶手段１０９から検出し、検出した番組情報と番組情報名とを表示情報取得手段２０３に出力する。上記の例では、選択番組情報検出手段２０２は、入力手段２０１から位置情報が入力され、表示画面作成手段１１１から表示画面情報が入力されると、入力された位置情報に対応する番組情報（松下ニュース、１０００１）を表示画面情報から抽出し、抽出した番組情報（松下ニュース、１０００１）に対応した番組の番組情報（２００２．１．１／ＡＭ１０：００〜ＡＭ１１：００，１０００１，松下ニュース，○○○○○○）と番組情報名（放送日時、放送局、番組名、番組内容）とを表示情報記憶手段１０９から検出し、検出した番組の番組情報（２００２．１．１／ＡＭ１０：００〜ＡＭ１１：００，１０００１，松下ニュース，○○○○○○）と番組情報名（放送日時、放送局、番組名、番組内容）とを表示情報取得手段２０３に出力する。
【００５５】
さらに、上記の例において、話者が「これの内容は？」と発話したとし、マイクロホン１０５から音声信号「これの内容は？」が入力され、音声信号「これの内容は？」が音声認識手段１０６に出力されたとする。音声認識手段１０６は、マイクロホン１０５から入力された音声信号「これの内容は？」を（表７）の認識辞書１０４を用いて認識結果文字列「これの／内容は？」と意味文字列「指示語／内容表示命令」とに変換し、生成した認識結果文字列「これの／内容は？」と意味文字列「指示語／内容表示命令」とを認識結果として指示文字列検出手段１０８に出力する。指示文字列検出手段１０８は、音声認識手段１０６から入力された認識結果文字列「これの／内容は？」から（表４）の指示文字列記憶手段１０７に記憶されている指示文字列「これの」を検出し、入力された認識結果である認識結果文字列「これの／内容は？」と意味文字列「指示語／内容表示命令」と検出された指示文字列「これの」を表示情報取得手段２０３に出力する。
【００５６】
表示情報取得手段２０３は、指示文字列検出手段１０８から認識結果と指示文字列が入力され、表示情報記憶手段１０９に複数番組の番組情報が記憶されている場合、選択番組情報検出手段２０２から入力される番組情報と番組情報名とを対応付けて表示情報記憶手段１０９に記憶し、さらに選択番組情報検出手段２０２から入力された番組情報と番組情報名と指示文字列検出手段１０８から入力された認識結果を表示画面作成手段１１１に出力する。上記の例では、表示情報取得手段２０３は、指示文字列検出手段１０８から認識結果である認識結果文字列「これの／内容は？」と意味文字列「指示語／内容表示命令」と指示文字列「これの」が入力され、表示情報記憶手段１０９に複数番組の番組情報（２００２．１．１／ＡＭ１０：００〜ＡＭ１１：００，１００００，スペシャル，××××××）、（２００２．１．１／ＡＭ１０：００〜ＡＭ１１：００，１０００１，松下ニュース，○○○○○○）が記憶されているので、選択番組情報検出手段２０２から入力される番組情報（２００２．１．１／ＡＭ１０：００〜ＡＭ１１：００，１０００１，松下ニュース，○○○○○○）と番組情報名（放送日時、放送局、番組名、番組内容）とを対応付けて表示情報記憶手段１０９に記憶し、さらに選択番組情報検出手段２０２から入力された番組情報（２００２．１．１／ＡＭ１０：００〜ＡＭ１１：００，１０００１，松下ニュース，○○○○○○）と番組情報名（放送日時、放送局、番組名、番組内容）と指示文字列検出手段１０８から入力された認識結果を表示画面作成手段１１１に出力する。ここで、表示情報取得手段２０３により更新された表示情報記憶手段１０９の内容を（表９）に示す。
【００５７】
【表９】
2004260544.tif 000011
【００５８】
さらに、上記の例では、表示画面作成手段１１１は、表示情報取得手段２０３から番組情報（２００２．１．１／ＡＭ１０：００〜ＡＭ１１：００，１０００１，松下ニュース，○○○○○○）と番組情報名（放送日時、放送局、番組名、番組内容）と認識結果である認識結果文字列「これの／内容は？」と意味文字列「指示語／内容表示命令」が入力されると、意味文字列「指示語／内容表示命令」に内容表示命令が含まれるため、入力された番組情報（２００２．１．１／ＡＭ１０：００〜ＡＭ１１：００，１０００１，松下ニュース，○○○○○○）から番組内容を表示する表示画面情報を作成し、作成した表示画面情報を選択番組情報検出手段２０２と表示手段１１２に出力する。ここで、番組内容が表示された表示手段１１２の一例を図６に示す。
【００５９】
なお、表示画面作成手段１１１は、表示情報取得手段２０３から複数の番組情報と番組情報名と認識結果が入力されると、入力された番組情報を認識結果に応じて一覧表示し、一覧表示した番組の一つを強調表示した表示画面情報に変換し、さらに、入力手段２０１から位置情報が入力されると、入力された位置情報に対応する番組情報を強調表示した表示画面情報を表示情報取得手段２０３から入力された複数の番組情報と番組情報名と認識結果から変換し直し表示手段１１２に出力するようにしてもよい。
【００６０】
また、表示手段１１２に複数番組の番組情報が表示され、選択されている番組情報が強調表示されている場合に、入力手段２０１は、ボタンが備わった機器で構成されており、選択されている番組を変更するため話者によりボタンが押下された場合、押下されたボタンの情報を表示画面作成手段１１１に出力し、表示画面作成手段１１１は、入力手段２０１から入力されるボタン情報に対応して、強調表示する番組情報を変更した表示画面情報を表示情報取得手段２０３から入力された複数の番組情報と番組情報名と認識結果から変換し直し表示手段１１２と選択番組情報検出手段２０２に出力し、選択番組情報検出手段２０２は、表示画面作成手段１１１から表示画面情報が入力されると、入力された表示画面情報に強調表示された番組情報が存在する場合、強調表示された番組情報に対応した番組の番組情報と番組情報名とを表示情報記憶手段１０９から検出し、表示情報記憶手段１０９から検出された番組情報と番組情報名とを表示情報取得手段２０３に出力するようにしてもよい。
【００６１】
また、本発明では、番組データベース１０１、表示情報記憶手段１０９は、録画されている番組や放送中の番組、放送予定の番組の番組名、番組内容、放送局、放送日時を格納しているとして説明したが、この例に限定されることなく、番組データベース１０１に、さらに、番組情報として番組の属するジャンル、出演者名を格納するようにしてもよい。
【００６２】
本実施の形態によれば、複数番組の番組検索結果が表示されており、話者が複数の番組から選択した番組の番組情報をあらかじめ取得しておき、入力されたコマンド音声を音声認識した結果、認識結果に指示代名詞や連体詞が検出された場合、あらかじめ取得しておいた番組情報を用いて番組検索結果画面を作成し、表示することで、話者が表示されている複数の番組から選択した番組の番組情報を指示代名詞や連体詞を含んだコマンドを発話し、表示することができる。
【００６３】
【発明の効果】
以上のように、本発明の音声認識機能を有する番組情報表示装置によれば、話者は指示代名詞や連体詞を含んだコマンドを発話し、表示手段に表示されている番組の番組情報を表示することができる。
【００６４】
また、本発明の音声認識機能を有する番組情報表示装置によれば、一番組に関する番組情報の一部分が表示手段に表示されている場合、話者は指示代名詞や連体詞を含んだコマンドを発話し、表示されている番組情報と異なる他の番組情報を表示することができる。
【００６５】
また、本発明の音声認識機能を有する番組情報表示装置によれば、複数番組の番組情報が表示手段に表示され、指示代名詞や連体詞を含んだコマンドを話者が発話した場合、番組情報を表示することができない旨を表す表示画面や応答音声を話者に示すことができる。
【００６６】
また、本発明の音声認識機能を有する番組情報表示装置によれば、複数番組の番組情報が表示手段に表示されている場合、話者は表示されている複数番組から一番組を選択し、指示代名詞や連体詞を含んだコマンドを発話して、選択した番組の表示されている番組情報と異なる他の番組情報を表示することができる。
【図面の簡単な説明】
【図１】本発明の実施の形態１における音声認識機能を有する番組情報表示装置の構成を示す図
【図２】同番組情報表示装置の動作を表す表示例を示す図
【図３】同番組情報表示装置の動作を表す他の表示例を示す図
【図４】本発明の実施の形態２における音声認識機能を有する番組情報表示装置の構成を示す図
【図５】同番組情報表示装置の動作を表す表示例を示す図
【図６】同番組情報表示装置の動作を表す他の表示例を示す図
【符号の説明】
１０１  番組データベース
１０２  表示番組情報取得手段
１０３  機器情報記憶手段
１０４  認識辞書
１０５  マイクロホン
１０６  音声認識手段
１０７  指示文字列記憶手段
１０８  指示文字列検出手段
１０９  表示情報記憶手段
１１０、２０３  表示情報取得手段
１１１  表示画面作成手段
１１２  表示手段
１１３  検索キーワード抽出手段
１１４  番組検索手段
２０１  入力手段
２０２  選択番組情報検出手段
【図１】
2004260544.tif 000012
【図２】
2004260544.tif 000013
【図３】
2004260544.tif 000014
【図４】
2004260544.tif 000015
【図５】
2004260544.tif 000016
【図６】
2004260544.tif 000017